(57)【要約】【課題】ＨＤ方式の映像にＨＤサイズの文字情報を重畳して表示する。【解決手段】標準解像度サイズの主映像信号、副映像信号を含む多重化映像信号から主映像、副映像を分離する手段（１６）と、分離手段（１６）から出力された標準解像度サイズの主映像を高解像度サイズの主映像に変換する手段（３８）と、多重化映像信号の主映像信号に含まれる文字データに基づいて高解像度サイズの文字映像を生成する手段（４６、４８、５０）と、変換手段（３８）から出力された高解像度サイズの主映像に生成手段で生成された高解像度サイズの文字映像を重畳する手段（４０）とを具備する映像処理装置。【選択図】      図１
2010074559.tif 000002
【特許請求の範囲】
【請求項１】
標準解像度サイズの主映像信号、副映像信号を含む多重化映像信号を入力し、標準解像度サイズの主映像、副映像を分離して出力する分離手段と、
前記分離手段から出力された標準解像度サイズの主映像を高解像度サイズの主映像に変換する手段と、
前記分離手段に入力された多重化映像信号の主映像信号に含まれる文字データに基づいて高解像度サイズの文字映像を生成する手段と、
前記変換手段から出力された高解像度サイズの主映像に前記生成手段で生成された高解像度サイズの文字映像を重畳する手段と、
を具備する映像処理装置。
【請求項２】
前記分離手段は標準解像度サイズの多重化映像ストリームを入力し、主映像ストリームと副映像ストリームとを分離するストリーム分離部と、該ストリーム分離部から出力された主映像ストリームと副映像ストリームとを復号し、主映像と副映像を出力するストリーム復号部とを具備し、
前記ストリーム復号部から出力された主映像が前記変換手段に供給されることを特徴とする請求項１記載の映像処理装置。
【請求項３】
前記生成手段は前記ストリーム復号部から出力された主映像の垂直ブランキング期間のライン２１に含まれている文字コードデータから文字コードを出力する文字コード復号部と、該文字コード復号部の出力に基づいて文字フォントを示す文字映像を生成するフォント生成部とを具備することを特徴とする請求項２記載の映像処理装置。
【請求項４】
前記ストリーム復号部から出力された主映像と副映像を重畳するミキサと、該ミキサの出力と前記文字コード復号部の出力とを重畳して標準解像度の表示機器へ出力する手段とをさらに具備することを特徴とする請求項３記載の映像処理装置。
【請求項５】
前記ミキサは前記文字コード復号部の出力が存在する場合は、副映像の重畳を行わないことを特徴とする請求項４記載の映像処理装置。
【請求項６】
前記分離手段に入力された多重化映像信号の主映像信号に含まれる文字データは文字の表示位置についての情報も含むことを特徴とする請求項１記載の映像処理装置。
【請求項７】
標準解像度サイズの主映像信号、副映像信号を含む多重化映像信号を入力し、標準解像度サイズの主映像、副映像を分離するステップと、
前記分離ステップで分離された標準解像度サイズの主映像を高解像度サイズの主映像に変換するステップと、
前記多重化映像信号の主映像信号に含まれる文字データに基づいて高解像度サイズの文字映像を生成するステップと、
前記変換ステップで変換された高解像度サイズの主映像に前記生成ステップで生成された高解像度サイズの文字映像を重畳するステップと、
を具備する映像処理方法。
【請求項８】
前記分離ステップは標準解像度サイズの多重化映像ストリームを入力し、主映像ストリームと副映像ストリームとを分離するストリーム分離ステップと、該ストリーム分離ステップで分離された主映像ストリームと副映像ストリームとを復号し、主映像と副映像を出力するストリーム復号ステップとを具備し、
前記ストリーム復号ステップで復号された主映像が前記変換ステップに供給されることを特徴とする請求項７記載の映像処理方法。
【請求項９】
前記生成ステップは前記ストリーム復号ステップから出力された主映像の垂直ブランキング期間のライン２１に含まれている文字コードデータから文字コードを出力する文字コード復号ステップと、該文字コード復号ステップで出力された文字コードに基づいて文字フォントを示す文字映像を生成するフォント生成ステップとを具備することを特徴とする請求項８記載の映像処理方法。
【請求項１０】
前記ストリーム復号ステップで復号された主映像と副映像を重畳するミキシングステップと、該ミキシングステップの出力と前記文字コード復号ステップの出力とを重畳して標準解像度の表示機器へ出力するステップとをさらに具備することを特徴とする請求項９記載の映像処理方法。
【請求項１１】
前記ミキシングステップは前記文字コード復号ステップで文字コードが出力される場合は、副映像の重畳を行わないことを特徴とする請求項１０記載の映像処理方法。
【請求項１２】
前記多重化映像信号の主映像信号に含まれる文字データは文字の表示位置についての情報も含むことを特徴とする請求項７記載の映像処理方法。
【発明の詳細な説明】
【技術分野】
【０００１】
本発明は標準解像度のＳＤ（Standard Definition）方式による映像信号を高解像度のＨＤ（High Definition）方式の表示装置へ出力する映像処理装置に関する。
【背景技術】
【０００２】
近年、ＨＤ方式の解像度の映像を表示できる表示装置が広く普及している。しかし、現行のＮＴＳＣやＰＡＬ方式のテレビジョン放送は水平走査線数は５２５〜６２５本程度であり、水平方向の画素数も７２０画素程度であり、ＨＤ方式に対応していない。また、現行の映像記録媒体であるＤＶＤ（Digital Versatile Disk）もＨＤ方式に対応していない。そのため、ＳＤサイズ（ＳＤ方式の画素数）の映像信号をＨＤサイズ（ＨＤ方式の画素数）の映像信号に変換するＳＤ−ＨＤ変換技術が開発されている（例えば、特許文献１参照）。
【０００３】
特許文献１記載の高解像度化装置は、画面内に複数の画素を配し、その各画素の輝度を画素値として表した画像を画像ソースから取得する取得手段と、前記画像に含まれる１フレームを基準フレームに設定する第１の設定手段と、前記画像に含まれる１以上のフレーム中の複数の画素を１つずつ注目画素として順次設定する第２の設定手段と、前記注目画素ごとに該注目画素を含む注目画像領域を設定する第３の設定手段と、前記注目画像領域に含まれる画素値の変化パターンに最も近い複数の注目画像領域に対応する複数の対応点を前記基準フレームの中から選択する選択手段と、前記対応点での輝度の標本値を、該対応点に対応している注目画素の画素値に設定する第４の設定手段と、複数の前記標本値の大きさと、前記複数の対応点の配置とに基づいて、前記基準フレームに含まれる画素数よりも多い画素数の高解像度画像であって前記基準フレームに対応する高解像度画像に含まれる複数の画素値を算出する算出手段と、を具備する。これにより、少ないメモリ量を使用するだけで鮮鋭な高解像度画像を得ることができる。
【０００４】
特許文献１の原理は、基準フレームに写っている被写体が別のフレームにも写っていることに注目し、被写体の動きを画素間隔以下の高い精度で検出することで、被写体の同一の局所部分に対して微小に位置がずれた複数の標本値を求めて高解像度化するものである。そのため、動きのある映像については、比較的ボケが目立たずに、画像サイズを大きくすることができる。
【０００５】
しかし、映画等のように映像に字幕が重畳されている場合や、ニュース番組等のように映像にテロップに重畳されている場合がある。このように文字情報は特許文献１の高解像化装置ではサイズが大きくなると、解像度が低下しボケてしまい、文字が判別しずらくなるという欠点がある。
【０００６】
なお、ＨＤ方式による文字情報の表示の一例として、クローズドキャプション方式がある（例えば、特許文献２参照）。ＤＶＤ−Ｖｉｄｅｏなどのパッケージメディアにおいても、クローズドキャプション信号が映像信号に多重化されているタイトルが存在する。ＤＶＤプレーヤ等の再生装置のコンポジットビデオ出力においては、ストリームから抜き出したクローズドキャプションデータがビデオ信号の垂直ブラキング期間（ＶＢＩ）のライン２１のフィールドに多重化されており、クローズドキャプションのデコードに対応したＴＶや専用デコーダ等で字幕に変換される。しかし、ＨＤ方式のＴＶ放送やビデオ信号伝送が可能になり、ＴＶや再生装置にもＨＤＭＩ方式といった新しい接続方式が採用されている。しかし、クローズドキャプション方式はＳＤ方式のコンポジットビデオ出力におけるライン２１を前提としていたので、ＨＤＭＩ方式等のＶＢＩがない接続ではそのまま利用できない。
【０００７】
特許文献２の装置はこれを解決するために、ＤＶＤプレーヤ等の再生装置側からＨＤ方式のビデオ信号とＶＢＩに文字情報が多重化されたＳＤ方式のビデオ信号との両方を、ＴＶ等の映像表示装置に出力する。映像表示装置は、ＳＤ方式のビデオ信号に多重化された文字情報を分離し、ＨＤ方式のビデオ信号に同期させて映像を合成した上で、字幕のある映像として表示する。これにより、高解像度のＨＤ方式のビデオ信号と、ＳＤ方式のビデオ信号のＶＢＩに多重化された文字情報を同時に視聴することができる。
【０００８】
しかし、特許文献２では高解像度のＨＤサイズの文字情報を表示することが出来ず、映像に比較して小さい文字しか表示できない。
【特許文献１】特開２００７−３１０８３７号公報（段落０００３、０００８、００１０）
【特許文献２】特開２００７−１１０３１０号公報（段落０００４〜００１２）
【発明の開示】
【発明が解決しようとする課題】
【０００９】
このように従来の映像処理装置は、ＨＤ方式の映像にＨＤサイズの文字情報を重畳して表示することができなかった。
【００１０】
本発明の目的はＨＤ方式の映像にＨＤサイズの文字情報を重畳して表示することができる映像処理装置及び映像処理方法を提供することにある。
【課題を解決するための手段】
【００１１】
本発明の一態様による映像処理装置は、標準解像度サイズの主映像信号、副映像信号を含む多重化映像信号を入力し、標準解像度サイズの主映像、副映像を分離して出力する分離手段と、前記分離手段から出力された標準解像度サイズの主映像を高解像度サイズの主映像に変換する手段と、前記分離手段に入力された多重化映像信号の主映像信号に含まれる文字データに基づいて高解像度サイズの文字映像を生成する手段と、前記変換手段から出力された高解像度サイズの主映像に前記生成手段で生成された高解像度サイズの文字映像を重畳する手段とを具備するものである。
【００１２】
本発明の一態様による映像処理方法は、標準解像度サイズの主映像信号、副映像信号を含む多重化映像信号を入力し、標準解像度サイズの主映像、副映像を分離するステップと、前記分離ステップで分離された標準解像度サイズの主映像を高解像度サイズの主映像に変換するステップと、前記多重化映像信号の主映像信号に含まれる文字データに基づいて高解像度サイズの文字映像を生成するステップと、前記変換ステップで変換された高解像度サイズの主映像に前記生成ステップで生成された高解像度サイズの文字映像を重畳するステップとを具備するものである。
【発明の効果】
【００１３】
以上説明したように本発明によれば、標準解像度サイズの主映像を高解像度サイズの主映像に変換した主映像に、主映像信号に含まれる文字データに基づいて生成した高解像度サイズの文字映像を重畳することにより、高解像度サイズの文字情報を高解像サイズの主映像に重ねて表示することができる。
【発明を実施するための最良の形態】
【００１４】
以下、図面を参照して本発明による映像処理装置の実施の形態を説明する。
【００１５】
第１の実施の形態
図１は本発明の第１の実施の形態に係る映像処理装置の一例としてのＤＶＤ再生装置の構成を示す図である。
【００１６】
ディスク制御部１４はＤＶＤ１２から読出した多重化ストリームをストリーム分離部１６に送る。
【００１７】
図２は、ＤＶＤビデオ規格のデータフォーマットを示す。ＤＶＤビデオのボリューム空間はボリューム・ファイル構造データゾーンと、ＤＶＤビデオゾーンと、その他のデータゾーンとから構成される。ＤＶＤビデオゾーンはビデオマネージャＶＭＧと、その後に続く複数個（最大９９個）のビデオタイトルセットＶＴＳを格納する。
【００１８】
ビデオタイトルセットＶＴＳはビデオタイトルセット情報と、メニュー用ビデオオブジェクトセットＶＯＢと、タイトル用ビデオオブジェクトセットＶＯＢと、ビデオタイトルセット情報のバックアップとからなる。タイトル用ビデオオブジェクトセットＶＯＢは複数のセルＣｅｌｌからなる。
【００１９】
セルＣｅｌｌは最小のアクセス単位であるビデオオブジェクトトユニットＶＯＢＵが連続することによって構成される。ビデオオブジェクトトユニットＶＯＢＵは、ＭＰＥＧ２プログラムストリームに準拠し、必ずナビゲーションパックＮＶ＿ＰＣＫで始まり、その後に１つまたは複数の主映像パックＶ＿ＰＣＫと副映像パックＳＰ＿ＰＣＫと音声パックＡ＿ＰＣＫとが適宜の位置に配置されて構成される。
【００２０】
図３は主映像データのデータフォーマットを示す。主映像パックＶ＿ＰＣＫは１つ以上のパケットを含むことができ、パックヘッダＰＣＨと１つ以上のパケット（ＰＥＳパケット）からなる。パックヘッダＰＣＨには各エレメンタリー復号部の入力バッファにパックが到着する時刻情報ＳＣＲ（System Clock Reference）が記述されている。パケットはＰＥＳパケットヘッダＰＰＨと、ＰＥＳパケットデータＰＰＤとからなる。主映像パケットのペイロード（主映像パケットからパケットヘッダを除いた部分、ＰＥＳパケットデータＰＰＤ）を送られた順番で並べると主映像エレメンタリーストリームとなる。
【００２１】
各パケットヘッダＰＰＨには、ストリームＩＤ（ｓｔｒｅａｍ＿ｉｄ）が記述され、ストリームＩＤがプライベートストリーム１（ｐｒｉｖａｔｅ＿ｓｔｒｅａｍ＿１（＝ＢＤｈ））とプライベートストリーム２（ｐｒｉｖａｔｅ＿ｓｔｒｅａｍ＿２（＝ＢＦｈ））を持つパケットに対しては、パケットのペイロードの１バイト目にｓｕｂ＿ｓｔｒｅａｍ＿ｉｄが記述される。
【００２２】
主映像パケットのパケットヘッダには、パケット内にピクチャデータの先頭が含まれるとき、最初に出現したピクチャに対してこのピクチャデータを復号する時刻ＤＴＳ（Ｄｅｃｏｄｉｎｇ Ｔｉｍｅ Ｓｔａｍｐ）または表示する時刻ＰＴＳ（Ｐｒｅｓｅｎｔａｔｉｏｎ Ｔｉｍｅ Ｓｔａｍｐ）を記述することができる。
【００２３】
前述のピクチャがＩピクチャまたはＰピクチャである場合には、パケットヘッダにはＤＴＳとＰＴＳを記述し、Ｂピクチャである場合にはＰＴＳのみを記述することができる。
【００２４】
音声パケットのパケットヘッダには、パケット内に音声フレームの先頭が含まれるとき、最初に出現した音声フレームに対してこの音声データを復号し、表示する時刻ＰＴＳ（Ｐｒｅｓｅｎｔａｔｉｏｎ Ｔｉｍｅ Ｓｔａｍｐ）を記述することができる。
【００２５】
副映像パケットのパケットヘッダには、パケット内に副映像ユニットＳＰＵの先頭が含まれるとき、最初に出現した副映像ユニットに対してこの副映像ユニットの先頭のＳＰ＿ＤＣＳＱ（Ｓｕｂ−Ｐｉｃｔｕｒｅ Ｄｉｓｐｌａｙ Ｃｏｎｔｒｏｌ Ｓｅｑｕｅｎｃｅ：副映像表示制御シーケンス）を実行するする時刻ＰＴＳ（Ｐｒｅｓｅｎｔａｔｉｏｎ Ｔｉｍｅ Ｓｔａｍｐ）を記述することができる。
【００２６】
ＰＥＳパケットのペイロード（パケットヘッダ（ＰＰＨ）を除いた部分）は単一のエレメンタリーデータしか持つことできない。例えば、１つのパケットのペイロードとして主映像データと音声データを混在することはできない。
【００２７】
主映像エレメンタリーストリームは、ＭＰＥＧ２ビデオ規格に従って圧縮され、シーケンス層、ＧＯＰ（Ｇｒｏｕｐ  Ｏｆ  Ｐｉｃｔｕｒｅｓ）層、ピクチャ層、マクロブロック層、ブロック層で構成される。主映像エレメンタリーストリームはシーケンスヘッダＳＨとその後に続く１つまたは複数のＧＯＰデータ領域のセットからなる。シーケンスヘッダＳＨとＧＯＰデータ領域のセットは複数であってもよい。主映像エレメンタリーストリームの最後はシーケンスエンドコードＳＥが配置される。ＧＯＰデータ領域はＧＯＰヘッダＧＨと、ユーザデータ領域ＵＤと、ピクチャデータ領域ＰＩＣとからなる。ピクチャデータ領域ＰＩＣはピクチャヘッダＰＨと、マクロブロックＭＢとからなる。
【００２８】
ＤＶＤビデオ規格では、ＧＯＰ層のユーザデータ領域ＵＤにクローズドキャプションデータが挿入されるライン２１データが記述される。ユーザデータ領域ＵＤは、３２ビットのユーザデータスタートコードＵＳと、１６ビットのライン２１インジケータｌ２１ｉと、１６ビットのリザーブ領域ｒと、１ビットのＧＯＰのトップフィールドフラグｔｆｆと、６ビットの表示フィールドＧＯＰ数ｎｄｆと、７ビットのメーカビットｍと、１ビットのライン２１スイッチｓと、１６ビットのライン２１データＬ２１とからなる。メーカビットｍと、ライン２１スイッチｓと、ライン２１データＬ２１は複数配置される。
【００２９】
ライン２１データＬ２１は８ビットのライン２１データ１（ｄ１）と８ビットのライン２１データ２（ｄ２）とからなる。ライン２１データ１（ｄ１）はキャラクタ１を示し、ライン２１データ２（ｄ２）はキャラクタ２を示す。各キャラクタはｂ０〜ｂ６の７ビットのキャラクタデータと、パリティＰ１またはＰ２からなる。ライン２１データ１（ｄ１）とライン２１データ２（ｄ２）とで１文字を表す。なお、文字の表示位置等の制御情報もライン２１データ１（ｄ１）、ライン２１データ２（ｄ２）に含まれている。
【００３０】
図１に戻り、ストリーム分離部１６はディスク制御部１４から供給された多重化ストリームを主映像、副映像、音声の３つのストリームに分離し、主映像ストリーム、副映像ストリーム、音声ストリームをそれぞれ主映像バッファ１８、副映像バッファ２０、音声バッファ２２に送る。  
音声バッファ２２に書き込まれた音声ストリームは、パケットヘッダに記述されたＰＴＳを基準とした時刻に音声復号部２８によって読み出され、音声復号部２８により復号されてＤ／Ａ変換部４４に送られ、音声出力端６２から出力される。
【００３１】
副映像バッファ２０に書き込まれた副映像ストリームは、副映像復号部２６によって読み出され、復号された後、副映像フレームバッファ３２に書き込まれる。副映像はメニュー用や字幕等の文字情報を含む。
【００３２】
主映像バッファ１８に書き込まれた主映像ストリームは、主映像復号部２４によって読み出され、復号された後、主映像フレームバッファ３０に書き込まれる。主映像復号部２４は主映像バッファ１８から読み出した主映像ストリームから図３に示したＧＯＰ層のユーザデータ領域ＵＤに挿入されたライン２１データを抽出する。ライン２１データは、クローズドキャプションデータ（ＣＣデータ）である。主映像復号部２４は、抽出したライン２１データをクローズドキャプションバッファ（ＣＣバッファ）４６へ書き込む。
【００３３】
ＣＣバッファ４６に書き込まれたライン２１データはクローズドキャプション復号部（ＣＣ復号部）４８によって読み出される。ＣＣ復号部４８は、読み出したライン２１データをそのままＮＴＳＣ／ＰＡＬ信号発生部３６に供給するとともに、読み出したライン２１データを復号し、文字を表すデータコードをＨＤフォント生成部５０に送る。ＨＤフォント生成部５０は、送られた文字データコードからＨＤサイズの文字フォントを示す文字映像を生成し、ＨＤミキサ４０に供給する。
【００３４】
主映像フレームバッファ３０に書き込まれた主映像フレームと、副映像フレームバッファ３２に書き込まれた副映像フレームは、パケットヘッダに記述されたＰＴＳを基準とした時刻に読み出されＳＤミキサ（ＳＤ  ＭＩＸ）３４でミキシングされる。ＤＶＤビデオ規格では、復号された、すなわちフレームバッファ３０、３２に書き込まれた主映像フレームおよび副映像フレームはＳＤサイズである。
【００３５】
ＳＤミキサ３４でミキシングされたＳＤサイズのフレームデータ（主映像＋副映像フレーム）はそのままＮＴＳＣ／ＰＡＬ信号発生部３６に送られ、ＳＤサイズのフレームデータがＮＴＳＣまたはＰＡＬ方式のアナログのテレビジョン信号に変換され、ＳＤ対応の映像表示機に出力される。ＮＴＳＣ／ＰＡＬ信号発生部３６にはＣＣ復号部４８からのライン２１データも供給されており、ＮＴＳＣあるいはＰＡＬ方式のテレビジョン信号にライン２１データも重畳されて、ＳＤ映像出力端６４を介してＳＤ対応の映像表示機に出力される。ＳＤ対応の映像表示機にＣＣデコーダが備えられていれば、映像表示機側でライン２１データを復号することによりクローズドキャプション方式の文字情報を表示可能である。
【００３６】
図４はＮＴＳＣ／ＰＡＬ信号発生部３６によるアナログＴＶ信号の垂直ブランキング期間ＶＢＩ（Ｖｅｒｔｉｃａｌ  Ｂｌａｎｋｉｎｇ  Ｉｎｔｅｒｖａｌ）のライン２１にＣＣデータを重畳する様子を示す。ライン２１のカラーバーストの後のクロックランインの次にスタートビットＳ１、Ｓ２、Ｓ３が配置され、その後に、ライン２１データ１（ｄ１）とライン２１データ２（ｄ２）が配置される。
【００３７】
ＳＤ信号受像機は、アナログＴＶ信号を受信すると、ライン２１からＣＣデータを分離し復号した後、このＣＣデータをＴＶ信号に重畳してモニター上に表示する。こうして、ＣＣ字幕付きの映像がＳＤ信号受像機で提供される。
【００３８】
なお、副映像にも字幕情報が含まれている場合は、副映像文字情報とＣＣ文字情報が重複して表示されてしまうので、ＳＤミキサ３４は、ＳＤ−ＨＤ変換部３８に対して、副映像フレームを供給しない。
【００３９】
ＳＤミキサ３４は主映像フレームのみをＳＤ−ＨＤ変換部３８へ供給する。ＳＤーＨＤ変換部３８はＳＤサイズの主映像をＨＤサイズの主映像に変換する。具体的には、ＳＤサイズの主映像をアップサンプリングして画素数を増やし、サイズを大きくする。アップサンプリングの手法は種々あるが、例えば特許文献１に記載のように、基準フレームに写っている被写体が別のフレームにも写っていることに注目し、被写体の動きを画素間隔以下の高い精度で検出することで、被写体の同一の局所部分に対して微小に位置がずれた複数の標本値を求めて高解像度化する手法がある。これにより、動きのある映像については、比較的ボケが目立たずに、画像サイズを大きくすることができる。
【００４０】
ＳＤ―ＨＤ変換部３８の出力がＨＤミキサ４０に供給され、ＨＤフォント生成部５０から供給されたＨＤサイズの文字フォントを示す文字映像と合成される。これにより、ＨＤサイズの主映像にＨＤサイズの文字映像が重畳される。ＨＤミキサ４０の出力がＨＤ信号発生部４２、ＨＤ映像出力端６４を介してＨＤ対応の表示機器へ供給される。
【００４１】
以上説明したように、第１の実施の形態によれば、ＳＤサイズの主映像と副映像からなる多重化映像信号から主映像と副映像を分離し、さらに主映像から文字情報を抽出し、主映像のみをＳＤ−ＨＤ変換部に供給し、文字情報に基づいてＨＤサイズの文字フォントを表す文字映像を生成し、ＳＤーＨＤ変換部の出力であるＨＤサイズの主映像にＨＤサイズの文字映像を重畳した映像をＨＤ対応の表示機器へ出力することにより、ＨＤサイズの文字情報をＨＤサイズの主映像に重ねて表示することができる。ＳＤ対応の表示機器へは分離したＳＤサイズの主映像と副映像とを合成したミキシングした映像を出力する。文字映像はＳＤ−ＨＤ変換しないで、ＨＤフォント生成部５０によりＨＤサイズの映像として生成されるので、従来のように文字の解像度が低下しボケてしまい、文字が判別しずらくなることが防止される。
【００４２】
なお、この発明は、上記実施形態そのままに限定されるものではなく、実施段階ではその要旨を逸脱しない範囲で構成要素を変形して具体化できる。上述の説明はＤＶＤの再生装置について行ったが、ハードディスクレコーダ、ＨＤＤＳＤサイズの映像を入力してＨＤ対応の表示機器へ出力するセットトップボックス等にも応用できる。また、上記実施形態に開示されている複数の構成要素の適宜な組み合せにより種々の発明を形成できる。例えば、実施形態に示される全構成要素から幾つかの構成要素を削除してもよい。
【図面の簡単な説明】
【００４３】
【図１】本発明の第１の実施の形態に係る映像処理装置の一例としてのＤＶＤ再生装置の構成を示す図。
【図２】ＤＶＤビデオのデータフォーマットを示す図。
【図３】主映像データのデータフォーマットを示す図。
【図４】ＮＴＳＣ／ＰＡＬ方式のテレビジョン信号にクローズドキャプションデータを重畳する様子を示す図。
【符号の説明】
【００４４】
１４…ディスク制御部、１６…ストリーム分離部、１８…主映像バッファ、２０…副映像バッファ、２４…主映像復号部、２６…副映像復号部、３４…ＳＤミキサ、３６…ＮＴＳＣ／ＰＡＬ信号発生部、３８…ＳＤ−ＨＤ変換部、４０…ＨＤミキサ、４２…ＨＤ映像信号発生部、４８…ＣＣ復号部、５０…ＨＤフォント生成部。
【図１】
2010074559.tif 000003
【図２】
2010074559.tif 000004
【図３】
2010074559.tif 000005
【図４】
2010074559.tif 000006